(57)【要約】使用に基づくコンテンツ配信機能を有するディスペンサは、リモートコンピュータから有線又は無線ネットワークを経由して配信されるオーディオ及び／又はビデオコンテンツを提示するためのインジケータを含む。加えて、本ディスペンサは、その使用者の身体的属性に加えて、ディスペンサに関連付けられる種々の動作パラメータを監視するように構成されている。本ディスペンサは、そのようなデータを利用して、情報コンテンツを極めて効果的に通信するように、それぞれ特定の使用者のニーズを対象とした情報コンテンツを選択する。【選択図】図１
2014519398.tif 000002
【特許請求の範囲】
【請求項１】
補給容器から使用者に物質を分配するためのディスペンサにおいて、
識別コードを記憶するように構成されるコントローラと、
前記コントローラに結合され、前記補給容器と流体連通するように適合されるポンプと、
起動時に前記ポンプが前記補給容器から物質を分配するように、前記コントローラに結合されるアクチュエータと、
前記コントローラに結合されるインジケータと、
前記コントローラに結合され、前記インジケータでの提示のために前記識別コードに関連付けられたコンテンツを受信するように構成されるトランシーバと、
を備えるディスペンサ。
【請求項２】
前記インジケータはディスプレイを備える、請求項１に記載のディスペンサ。
【請求項３】
前記インジケータはスピーカを備える、請求項１に記載のディスペンサ。
【請求項４】
前記トランシーバは、コンピュータから無線ネットワーク経由で前記コンテンツを受信する、請求項１に記載のディスペンサ。
【請求項５】
前記コンテンツは、ファイル転送プロトコル（ＦＴＰ）を利用して前記無線ネットワーク経由で転送される、請求項４に記載のディスペンサ。
【請求項６】
前記コンテンツは、ハイパーテキスト転送プロトコル（ＨＴＰ）を利用して前記無線ネットワーク経由で転送される、請求項４に記載のディスペンサ。
【請求項７】
補給容器から使用者に物質を分配するためのディスペンサであって、
コントローラと、
前記コントローラに結合され、前記補給容器と流体連通するように適合されるポンプと、
起動時に前記ポンプが前記補給容器から物質を分配するように、前記コントローラに結合されるアクチュエータと、
前記コントローラに結合されるインジケータと、
前記コントローラに結合され、リモートコンピュータに記憶されたコンテンツを受信するように構成されるトランシーバと、
を備え、
前記コントローラは、前記ディスペンサに関連付けられる少なくとも１つの動作パラメータを前記リモートコンピュータに送信し、その結果、前記インジケータが前記リモートコンピュータからの前記少なくとも１つの動作パラメータに基づく前記コンテンツを提示する、ディスペンサ。
【請求項８】
前記インジケータはディスプレイを備える、請求項７に記載のディスペンサ。
【請求項９】
前記インジケータはスピーカを備える、請求項７に記載のディスペンサ。
【請求項１０】
前記トランシーバは、前記リモートコンピュータから無線ネットワーク経由で前記コンテンツを受信する、請求項７に記載のディスペンサ。
【請求項１１】
前記コンテンツは、ファイル転送プロトコル（ＦＴＰ）を利用して前記無線ネットワーク経由で転送される、請求項７に記載のディスペンサ。
【請求項１２】
前記コントローラは、前記トランシーバが識別コードに関連付けられたコンテンツだけを受信するように、前記識別コードを記憶する、請求項７に記載のディスペンサ。
【請求項１３】
補給容器から使用者に物質を分配するためのディスペンサであって、
コントローラと、
前記コントローラに結合され、前記補給容器と流体連通するように適合されるポンプと、
起動時に前記ポンプが前記補給容器から物質を分配するように、前記コントローラに結合されるアクチュエータと、
前記コントローラに結合され、前記使用者に関連付けられる少なくとも１つの身体的属性を識別するように構成されるセンサと、
前記コントローラに結合されるインジケータと、
前記コントローラに結合され、リモートコンピュータに記憶されたコンテンツを受信するように構成されるトランシーバと、
を備え、
前記コントローラは、前記少なくとも１つの身体的属性に基づいて参照識別子を前記リモートコンピュータに送信して、前記インジケータによって提示するための前記参照識別子に基づくコンテンツを前記トランシーバで受信する、ディスペンサ。
【請求項１４】
前記センサは画像センサを備える、請求項１３に記載のディスペンサ。
【請求項１５】
前記センサは運動センサを備える、請求項１３に記載のディスペンサ。
【請求項１６】
前記インジケータはディスプレイを備える、請求項１３に記載のディスペンサ。
【請求項１７】
前記インジケータはスピーカを備える、請求項１３に記載のディスペンサ。
【請求項１８】
前記トランシーバは、前記リモートコンピュータから無線ネットワーク経由で前記コンテンツを受信する、請求項１３に記載のディスペンサ。
【請求項１９】
前記コンテンツは、ファイル転送プロトコル（ＦＴＰ）を利用して前記無線ネットワーク経由で転送される、請求項１８に記載のディスペンサ。
【請求項２０】
前記コントローラは、前記トランシーバが識別コードに関連付けられたコンテンツだけを受信するように、前記識別コードを記憶する、請求項１３に記載のディスペンサ。
【発明の詳細な説明】
【技術分野】
【０００１】
本発明は、概して石鹸等の物質を分配するディスペンサに関する。具体的には、本発明は、ディスペンサの種々の動作パラメータに基づいて、及び／又はディスペンサの使用者の少なくとも１つの身体的属性に基づいて、情報コンテンツを自動的に使用者に配信するディスペンサに関する。より具体的には、本発明は、ディスペンサでの提示のためにリモートコンピュータからオーディオ及び／又はビデオコンテンツを得るディスペンサに関する。
【背景技術】
【０００２】
公衆は、疾病及びその伝播にますます関心を持つようになっており、従って、洗浄及び衛生の重要性全般に関する認識水準が高まっている。例えば、飲食サービス業界での大腸菌、小学校でのライノウィルス、及び健康関連施設での院内感染症の伝播に関して、多くの研究が疾病の伝播を防ぐ効果的な対策として、手の衛生を挙げている。呼応して、健康関連業界、飲食サービス業界、及びホテル旅行業界は、疾病の伝播の防止に有効である手の殺菌習慣を従業員が採用することを確実にするために、プロトコル及び手順を検討することを強制されている。
【０００３】
個人が石鹸及び殺菌剤を利用する十分な機会を提供するために努力して、多くの機関及び業界は、据え付けられるディスペンサの数を増大させている。そのようにして、石鹸及び殺菌剤ディスペンサが、今や身の回りに遍在し、広告、販売促進、教育、又は任意の他の情報等の情報をディスペンサの使用者に伝達する機会を提供している。しかしながら、そのようなディスペンサは、情報コンテンツを使用者に提供するためにそういった機会を利用していない。さらに、空港及び病院等の事業体では、情報コンテンツを多数のディスペンサで利用可能とするのに関連するロジスティックを管理するのが著しく困難である。加えて、大量の利用可能な広告及び販売促進材料のために、個人は、いくらか強制的に、自分に関係しない又は関連を有しない情報を非常に巧みに無視する。つまり、情報コンテンツの伝達が何らかの方法でその個人のために調整されていないか、又はその個人を対象としていなければ、情報は大部分又は大いに無視され、これは望ましくない。
【発明の概要】
【発明が解決しようとする課題】
【０００４】
従って、ディスペンサの１つ以上の動作パラメータに基づいて、情報コンテンツを提示することができる使用に基づくコンテンツ配信機能を有するディスペンサが必要とされている。さらに、使用者の１つ以上の身体的属性に基づいて、情報コンテンツを提示することができる使用に基づくコンテンツ配信機能を有するディスペンサが必要とされている。さらにまた、有線又は無線ネットワーク上のリモートコンピュータから得られるオーディオ及び／又はビデオに基づくコンテンツを提示する使用に基づくコンテンツ配信機能を有するディスペンサが必要とされている。
【課題を解決するための手段】
【０００５】
上記に照らすと、本発明の第１の態様は、使用に基づくコンテンツ配信機能を有するディスペンサを提供することである。
【０００６】
本発明の別の態様は、補給容器から使用者に物質を分配するためのディスペンサを提供するものであって、本ディスペンサは、識別コードを記憶するように構成されるコントローラと、前記コントローラに結合され、前記補給容器と流体連通するように適合されるポンプと、起動時に前記ポンプが前記補給容器から物質を分配するように、前記コントローラに結合されるアクチュエータと、前記コントローラに結合されるインジケータと、前記コントローラに結合され、前記インジケータでの提示のために前記識別コードに関連付けられたコンテンツを受信するように構成されるトランシーバとを備える。
【０００７】
本発明のさらに別の態様は、補給容器から使用者に物質を分配するためのディスペンサを提供するものであって、本ディスペンサは、コントローラと、前記コントローラに結合され、前記補給容器と流体連通するように適合されるポンプと、起動時に前記ポンプが前記補給容器から物質を分配するように、前記コントローラに結合されるアクチュエータと、前記コントローラに結合されるインジケータと、前記コントローラに結合され、リモートコンピュータに記憶されたコンテンツを受信するように構成されるトランシーバとを備え、前記コントローラは、前記ディスペンサに関連付けられる少なくとも１つの動作パラメータを前記リモートコンピュータに送信し、その結果、前記インジケータが前記リモートコンピュータからの前記少なくとも１つの動作パラメータに基づく前記コンテンツを提示する。
【０００８】
本発明のさらにまた別の態様は、補給容器から使用者に物質を分配するためのディスペンサを提供するものであって、本ディスペンサは、コントローラと、前記コントローラに結合され、前記補給容器と流体連通するように適合されるポンプと、起動時に前記ポンプが前記補給容器から物質を分配するように、前記コントローラに結合されるアクチュエータと、前記コントローラに結合され、前記使用者に関連付けられる少なくとも１つの身体的属性を識別するように構成されるセンサと、前記コントローラに結合されるインジケータと、前記コントローラに結合され、リモートコンピュータに記憶されたコンテンツを受信するように構成されるトランシーバとを備え、前記コントローラは、前記少なくとも１つの身体的属性に基づいて参照識別子を前記リモートコンピュータに送信して、前記インジケータによって提示するための前記参照識別子に基づくコンテンツを前記トランシーバで受信する。
【図面の簡単な説明】
【０００９】
【図１】本発明の概念に従った使用に基づくコンテンツ配信機能を有するディスペンサを示すブロック図である。
【図２】本発明の概念に従ったディスペンサが使用されるときに、ディスペンサによって実行される動作ステップを示すフロー図である。
【発明を実施するための形態】
【００１０】
本発明のこれら及び他の特徴及び優位性は、以下の説明、添付の特許請求の範囲及び付属の図面に関して、よりよく理解されるであろう。
【００１１】
使用に基づくコンテンツ配信機能を有するディスペンサは、図面の図１に示されるように、概ね数字１０によって参照される。ディスペンサ１０は、例えば腕等の体の部分のうちのいずれかの運動に加えて、体のサイズ、背の高さ、体の寸法、及び顔の寸法等の使用者の１つ以上の身体的属性又は特徴を検出するように構成される運動センサ３０及び画像センサ４０を含む。使用者の１つ以上の身体的属性を識別後、ディスペンサ１０は、そのような身体的属性に基づくコンテンツデータを、ディスプレイ６０及び／又はスピーカ７０を備えるインジケータ５５を経由して可聴及び視覚形式、又は可聴もしくは視覚の一方の形式で提示する。使用者の身体的属性を識別するのに加えて、ディスペンサ１０はまた、インジケータ５５を経由して提示する具体的な情報コンテンツを決定するために、日時及びディスペンサ１０の使用パターンを含むディスペンサの動作に関連付けられる種々の動作パラメータを監視するように構成される。以下の説明のために、用語「コンテンツ」又は「情報コンテンツ」は、例えば、広告及び販売促進情報、教育情報、位置情報、１つ以上のディスペンサ１０に特有な指示又はメッセージ（例えば「洗浄−消毒禁止」）等の任意の可聴及び／又は視覚情報を含む。さらに、ディスペンサ１０は、有線又はＷＩＦＩネットワーク等の無線通信ネットワーク上でコンピュータ９０から情報コンテンツを取り込み、その結果、複数のディスペンサ１０が据え付けられる空港又は他の事業体の場合等に、複数のディスペンサ１０への情報コンテンツの流布を容易にする。そのようにして、ディスペンサ１０は、ディスペンサ１０の使用者の特定のニーズを対象とする情報コンテンツを動的に提示可能であり、その結果、情報コンテンツによって提供されるあらゆるメッセージのディスペンサ１０の使用者に対する伝達を、より効果的及び価値のあるものにする。
【００１２】
具体的には、ディスペンサ１０は、説明される機能を実行するための必要なハードウェア及び／又はソフトウェアを含むディスペンサコントローラ１００を含む。ディスペンサコントローラ１００に結合されるのは、例えば、石鹸、殺菌剤、保湿剤を含む、液体物質等の任意の所望の物質を担持するように構成された交換可能な補給容器１２０と流体連通しているポンプ１１０である。ディスペンサコントローラ１００に結合されるアクチュエータ１４０は、使用者の手もしくは使用者の身体の他の部分の存在を識別することが可能であるか、又は使用者の手もしくは他の身体の部分によって印加される力によって物理的に作動させられることが可能である任意の好適なボタン、スイッチ、生体認証センサ、又は近接センサを備える。従って、使用者の手又は身体の部分がアクチュエータ１４０によって検出され、又はアクチュエータ１４０が物理的に作動させられて、使用者によってアクチュエータ１４０が起動されると、ポンプ１１０が作動され、補給容器１２０からの液体物質がそこから分配される。
【００１３】
運動センサ３０及び画像センサ４０は、ディスペンサコントローラ１００に結合され、赤外（ＩＲ）センサ、ＣＣＤ（電子結合素子）センサ等をそれぞれ備えてもよい。従って、運動センサ３０は、身体的属性又はディスペンサ１０の使用者の身体の部分の相対的運動を、好適な解像度で検出することが可能である任意の好適なセンサを備えてもよく、一方で画像センサ４０が、身体的属性又は使用者の身体の特性の静的画像を検出することが可能である任意のセンサを備えてもよい。例えば、運動センサ３０は、使用者の身体的特徴又は属性のうちいずれかの、使用者の手の運動及び顔の運動に加えてディスペンサ１０に近づく間の使用者の特定の歩く足取り等の、相対的運動を識別するように構成される。加えて、画像センサ４０は、使用者の顔の特徴又は他の身体の部分の相対比に加えて、使用者の腕、胴体、手、顔の大きさ等の、使用者の１つ以上の身体的特徴又は属性を識別するように構成される。さらに、本明細書に使用される用語、「身体的属性」は、センサ３０、４０によって識別可能な任意の身体的特性、属性、又は特徴を含む。加えて、運動センサ３０及び画像センサ４０がＩＲセンサを備えるような場合等では、運動センサ３０及び／又は画像センサ４０が、使用者の身体的属性として使用者の体温又は熱画像を識別するように構成されてもよい。運動センサ３０及び画像センサ４０が、１つのセンサに組み合わされ、又は別個に維持されてもよいことは、理解されよう。他の態様では、アクチュエータ１４０が、別個の運動センサ３０及び画像センサ４０を必要とせずに上記に説明した画像及び運動検出機能を提供することのできる運動センサ及び／又は画像センサを備えてもよい。
【００１４】
インジケータ５５が、ディスペンサコントローラ１００に結合されるディスプレイ６０及び／又はスピーカ７０を備えてもよい。具体的には、ディスプレイ６０は、ＬＣＤ（液晶ディスプレイ）ディスプレイ等の、情報コンテンツによって提供される静的又は動的視覚的画像を表示するための任意の好適なディスプレイを備える。加えて、スピーカ７０は、販売促進メッセージ等の情報コンテンツによって提供される任意の所望されるオーディオ音を提示するように構成される。
【００１５】
ディスペンサ１０はまた、ディスペンサコントローラ１００に結合され、リモートコンピュータ９０との間にデータ送信及び受信が可能なトランシーバ１７０を提供する。具体的には、トランシーバ１７０は、コンピュータ９０に参照識別子を送信するように構成され、コンピュータ９０から送信される情報コンテンツを受信するように構成される。具体的には、参照識別子は、任意の好適な手法を利用してセンサ３０、４０によって画像化される使用者の身体的属性を定量化する情報に加えて、ディスペンサ１０の動作パラメータを含むデータを備える。例えば、所定の方法でセンサ３０、４０によって識別され、次いで所定の情報コンテンツデータに関連付けられたコントローラ１００又はリモートコンピュータ９０に記憶された、参照識別子のルックアップテーブルと比較される人物のある身体的属性を数値化することによって、参照識別子が、コントローラ１００によって計算されてもよい。従って、使用者の特定の身体的属性を対象としている情報コンテンツは、そのディスペンサの使用者に配信され得る。つまり、広告、販売促進、ならびに教育及び健康情報等の特定の人物に関係する情報コンテンツは、識別され得、次いで、ディスペンサの使用者に伝達され得る。加えて、ディスペンサコントローラ１００が、ディスペンサ１０に関連付けられる種々の動作パラメータを監視するように構成されてもよい。例えば、動作パラメータは、アクチュエータ１４０が起動されてきたパターンと頻度に加えて、アクチュエータ１４０が起動されるときの日時を含んでもよい。さらに、動作パラメータが、補給容器１２０の状態（空／満）、電源１９０の状態（低電力／全電力）、ディスペンサ１０の位置（部屋番号）、及びディスペンサ１０に据え付けられた補給容器１２０のタイプ（例えば、殺菌剤、保湿剤、石鹸他）をまた含んでもよい。そのようにして、日時ならびにアクチュエータ１４０の起動パターンが、インジケータ５５を経由して提示のための特定の情報コンテンツを識別する参照識別子を生成するディスペンサコントローラ１００によって既知の手法を利用して、個別に又は組み合わせて処理されてもよい。身体的属性及びディスペンサの動作パラメータが、リモートコンピュータ９０に転送され、ディスペンサ１０に転送される適切なコンテンツを識別するのに利用される参照識別子を生成するように処理されてもよい。
【００１６】
ディスペンサ１０及びリモートコンピュータ９０が、任意の好適な有線又は無線通信ネットワークを利用して参照識別子及び情報コンテンツを通信してもよい。例えば、ディスペンサ１０及びリモートコンピュータ９０が、有線ＥＴＨＥＲＮＥＴネットワーク又はＷＩＦＩ又はＢＬＵＥＴＯＯＴＨネットワーク等の無線通信ネットワーク上で、ＦＴＰ（ファイル転送プロトコル）等の任意の好適な通信プロトコルを利用して通信してもよい。加えて、ディスペンサ１０及びリモートコンピュータ９０が、限定されるわけではないが、ＺＩＧＢＥＥ、ＨＴＰ／ＨＴＴＰ（ハイパーテキスト転送プロトコル）、ＲＵＢＥＥ、ＰＥＡＮＵＴ、ＩＲＤＡ、及び３Ｇ／４Ｇ及びＬＴＥ（long term evolution）携帯電話ネットワークを含む携帯電話ネットワーク等の他の通信ネットワーク及びプロトコルを利用して通信してもよい。ディスペンサ１０及びリモートコンピュータ９０が、フェムトセルに基づく携帯電話ネットワークに加えて、時刻同期無線ネットワークを利用して通信してもよいことが理解されよう。具体的には、コンピュータ９０が、説明される機能を実行するのに必要なハードウェア及び／又はソフトウェアを有する任意の好適な計算機器を備える。特に、コンピュータ９０は、参照識別子がコンピュータ９０に送付されるときの場合等関連して要求されるときに、１つ以上のディスペンサ１０への伝達のための情報コンテンツを保持するために必要な記憶域を含む。加えて、ディスペンサ１０が、ＭＡＣ（媒体アクセス制御）アドレス又は他の識別アドレス又はコードを記憶するように構成されるトランシーバ１７０に結合されたアドレスメモリ１８０を含んでもよい。具体的には、ＭＡＣアドレスは、ディスペンサ１０によって提供されるトランシーバ１７０から構成されるネットワークインターフェースを一意に識別するように構成される；しかしながら、識別アドレス又はコードが、コントローラ１００等、ディスペンサ１０の任意のコンポーネントを一意に識別するように利用されてもよく、又はディスペンサ１０自身を一意に識別するように利用されてもよい。そのようにして、リモートコンピュータ９０は、それぞれのディスペンサ１０をそのＭＡＣアドレスによって識別することによって、特定のディスペンサ１０と直接通信することが可能である。さらに、識別アドレス又はコードが、アドレスメモリ１８０の代わりに、コントローラ１００に直接記憶されてもよいことが理解されよう。
【００１７】
ディスペンサ１０は、ディスペンサコントローラ１００に結合される電池等、任意の好適な電源１９０によって電力供給される。しかしながら、電源１９０が、光電池又は標準的な壁コンセント等の任意の他の好適な電力のソースを備えてもよい。
【００１８】
加えて、ディスペンサ１０は、コンピュータ９０から受信した情報コンテンツを一時的及び／又は永久的に記憶するために、ディスペンサコントローラ１００に結合されるコンテンツメモリ２００をまた含んでもよい。例えば、コンテンツメモリ２００は、任意の好適な揮発性又は不揮発性メモリを備えてもよい。そのようにして、特定のコンテンツが頻繁に提示されるならば、参照識別子に基づいて情報コンテンツを得るために、ディスペンサ１０がリモートコンピュータ９０にアクセスする以降の必要性を低減するように、ディスペンサ１０が、リモートコンピュータ９０から受信した情報コンテンツをコンテンツメモリ２００に記憶してもよい。加えて、そのような動作は、ディスペンサ１０の電源１９０からの電力の消費を低減し、従って動作寿命を延長する。
【００１９】
従って、説明したディスペンサ１０のコンポ―ネントを伴って、概ね数字２００によって参照されるその動作に関連付けられた動作ステップは、図面の図２に示されるように、今提示されることになる。始めに、ステップ２１０では、運動センサ３０及び画像センサ４０は、ディスペンサ１０に近づいた人物に関連付けられる少なくとも１つの身体的属性を識別するように構成される。次に、ステップ２２０では、使用者は、補給容器１２０から物質を分配するように、ポンプ１１０の動作を開始するために、アクチュエータ１４０を起動する。アクチュエータ１４０の起動が起こると、プロセスはステップ２３０に続き、関連する特定のディスペンサ１０の特定の使用者に最も関連する特定の情報コンテンツに関連付けられた参照識別子を生成するために、ディスペンサコントローラ１００が運動センサ３０及び画像センサ４０によって識別される使用者の身体的属性を処理する。別の方法としては、ステップ２３０が、参照識別子を生成するために、ディスペンサコントローラ１００によって識別されるディスペンサ１０の動作パラメータを同様に処理してもよい。参照識別子が使用者の身体的属性及びディスペンサ１０の動作パラメータの組み合わせに基づくように、ステップ２３０が実行されてもよいことは理解されよう。続けて、任意の好適な手法を利用して参照識別子が一旦決定されると、ディスペンサは、ステップ２４０に示されるように、参照識別子をリモートコンピュータシステム９０に送信する。次に、ステップ２５０では、コンピュータ９０は、受信した参照識別子に関連付けられた情報コンテンツを識別し、有線又はＷＩＦＩネットワーク等の無線ネットワークを経由してディスペンサ１０に送信する。コンテンツが一旦ディスペンサ１０のトランシーバ１７０によって受信されると、ディスプレイ６０及び／又はスピーカ７０を経由して使用者に提示するために、ステップ２６０に示されるように、インジケータ５５において提示される。そのようにして、所与の使用者の特定の身体的属性及び／又はディスペンサ１０の動作パラメータを識別することによって、ディスペンサ１０は、極めて対象を絞った情報コンテンツをその使用者に提供することが可能であり、ディスペンサ１０によって配信される情報の価値が使用者の必要性に対してより説得力があり意味があるのでその結果、伝達の全体的効果を増大する。
【００２０】
プロセス２００が、ディスペンサ１０のインジケータ５５によって提示されるコンテンツが、ディスペンサ１０に関連付けられた特定の識別アドレス又はコードだけに基づくように、ステップ２１０及び２３０なしに実行されてもよいことは理解されよう。そのようにして、ステップ２４０では、参照識別子の代わりに、識別アドレス又はコードが、リモートコンピュータ９０に送信されてもよい。つまり、所与のディスペンサ１０の識別アドレス又はコードに基づく、又は別に関連付けられたコンテンツが、インジケータ５５に提示されてもよい。そのようにして、それぞれのディスペンサ１０が、リモートコンピュータ９０によって、異なるコンテンツを配信されてもよい。
【００２１】
本発明の１つ以上の実施形態の１つの優位性は、使用に基づくコンテンツ配信機能を有するディスペンサは、使用者の身体的属性に基づいて対象が定まったコンテント可聴及び／又は視覚コンテンツが使用者に提示されることを可能にすることが理解されよう。本発明の別の優位性は、使用に基づくコンテンツ配信機能を有するディスペンサは、ディスペンサの動作パラメータに基づいて対象が定まった可聴及び／又は視覚コンテンツが使用者に提示されることを可能とすることである。本発明のさらに別の優位性は、使用に基づくコンテンツ配信機能を有するディスペンサが、有線又はＷＩＦＩネットワーク等の無線ネットワークを利用してリモートコンピュータから、ディスペンサにおいて流布のためのコンテンツを得ることである。
【００２２】
本発明は、いくつかの実施形態を参照しながらかなり詳細に説明されているが、他の実施形態も可能である。従って、添付の特許請求の範囲の趣旨及び範囲は、本明細書に含まれる説明に制約されるべきではない。
【図１】
2014519398.tif 000003
【図２】
2014519398.tif 000004
【国際調査報告】
2014519398.tif 000005
2014519398.tif 000006
2014519398.tif 000007